【手続補正書】
【提出日】平成17年3月2日(2005.3.2)
【手続補正１】
【補正対象書類名】特許請求の範囲
【補正対象項目名】全文
【補正方法】変更
【補正の内容】
【特許請求の範囲】
【請求項１】
自動車の蒸発エミッション制御システムにおいて燃料蒸気エミッションを減少させる方法であって、
一次吸着剤ボリューム及び二次吸着剤ボリュームを燃料蒸気と接触させる工程を有し、一次吸着剤ボリュームは、５容量％と５０容量％との間のｎ−ブタン蒸気濃度で、２５°Ｃにおける３５ｇｎ−ブタン／Ｌを超える増分吸着能力を有し、二次吸着剤ボリュームは、５容量％と５０容量％との間のｎ−ブタン蒸気濃度で、３５ｇｎ−ブタン／Ｌ未満の増分吸着能力を有している方法。
【請求項２】
単一の二次吸着剤ボリュームを有する請求項１に記載の方法。
【請求項３】
複数の二次吸着剤ボリュームを有する請求項１に記載の方法。
【請求項４】
一次吸着剤ボリューム及び二次吸着剤ボリュームは、単一の自動車の蒸発エミッション制御キャニスター内に配置される請求項２に記載の方法。
【請求項５】
一次吸着剤ボリューム及び二次吸着剤ボリュームは、単一の自動車の蒸発エミッション制御キャニスター内に配置される請求項３に記載の方法。
【請求項６】
一次吸着剤ボリューム及び二次吸着剤ボリュームは、燃料蒸気が順次接触できるように相互に接続された別々のキャニスター内に配置される請求項２に記載の方法。
【請求項７】
一次吸着剤ボリューム及び少なくとも一つの二次吸着剤ボリュームは、燃料蒸気が順次接触できるように相互に接続された別々のキャニスター内に配置される請求項３に記載の方法。
【請求項８】
一次吸着剤ボリューム及び二次吸着剤ボリュームは、化学的活性化方法、熱的活性化方法、及び組合せられた化学的／熱的活性化方法から成るグループから選択されるプロセスによって活性化された木材、泥炭、石炭、ココナツ、褐炭、石油ピッチ、石油コークス、コールタールピッチ、果実種、堅果殻、おがくず、木粉、合成重合体及び天然重合体から成るグループから選択される物質に由来する活性炭である請求項１から７のいずれか一項に記載の方法。
【請求項９】
一次吸着剤ボリューム及び二次吸着剤ボリュームは、ゼオライト、多孔性シリカ、多孔性アルミナ、柱状クレー及び分子篩から成るグループから選択される無機物質である請求項１から７のいずれか一項に記載の方法。
【請求項１０】
一次吸着剤ボリューム及び二次吸着剤ボリュームは、多孔性重合体である請求項１から７のいずれか一項に記載の方法。
【請求項１１】
二次吸着剤ボリュームは、容積希釈によって達成される吸着能力を示す請求項１から１０のいずれか一項に記載の方法。
【請求項１２】
容積希釈は、活性化前における活性炭原料の付加、成形粒子又はモノリスへの成形前における吸着剤の付加、及びそれらの組合せから成るグループから選択される付加プロセスによって、共成分として非吸着フィラーを付加することによって達成される請求項１１に記載の方法。
【請求項１３】
容積希釈は、星形、中空円筒形、星印形、螺旋形、円筒形及び成形リボン形から成るグループから選択される高空隙形状に吸着剤を成形することによって達成される請求項１１に記載の方法。
【請求項１４】
容積希釈は、ハチの巣形又はモノリス形に吸着剤を成形することによって達成される請求項１１に記載の方法。
【請求項１５】
容積希釈は、不活性スペーサ粒子、閉じ込められた空気空間、発泡体、繊維及びスクリーンを吸着剤の外部に使用することによって達成される請求項１１に記載の方法。
【請求項１６】
非吸着フィラーは、処理後において固体である請求項１２に記載の方法。
【請求項１７】
非吸着フィラーは、揮発又は燃焼して、成形粒子又はモノリス内に５０Åの幅より大きい空隙を形成する請求項１２に記載の方法。
【請求項１８】
自動車の蒸発エミッション制御システムにおいて燃料蒸気エミッションを減少させる方法であって、
揮発性有機化合物を含有する燃料蒸気を蒸気吸着剤に通すことによって、その燃料蒸気から少なくとも一つの揮発性有機化合物を除去する工程を有し、
その改良点は、燃料蒸気を一次吸着剤含有ボリュームに連続的に通す工程と、流体の流れを、大気中へ排気する前に、少なくとも一つの二次蒸気吸着剤含有ボリュームに通す工程とを有し、一次吸着剤物質は、５容量％と５０容量％との間のｎ−ブタン蒸気濃度で、２５°Ｃにおける３５ｇｎ−ブタン／Ｌを超える増分吸着能力によって特徴づけられ、また、二次吸着材含有ボリュームは、５容量％と５０容量％との間のｎ−ブタン蒸気濃度で、２５°Ｃにおける３５ｇｎ−ブタン／Ｌ未満の増分吸着能力によって特徴づけられる方法。
【請求項１９】
一次吸着剤ボリューム及び二次吸着剤ボリュームは、単一の自動車の蒸発エミッションキャニスター内に配置される請求項１８に記載の方法。
【請求項２０】
一次吸着剤ボリューム及び二次吸着剤ボリュームは、燃料蒸気が順次接触できるように相互に接続された別々のキャニスター内に配置される請求項１８に記載の方法。
【請求項２１】
一次吸着剤ボリューム及び二次吸着剤ボリュームは、化学的／熱的活性化方法によって活性化された木材、泥炭、石炭、ココナツ、褐炭、石油ピッチ、石油コークス、コールタールピッチ、果実種、堅果殻、おがくず、木粉、合成重合体及び天然重合体から成るグループから選択される物質に由来する活性炭である請求項１８に記載の方法。
【請求項２２】
一次吸着剤ボリューム及び二次吸着剤ボリュームは、ゼオライト、多孔性シリカ及び分子篩から成るグループから選択される無機物質である請求項１８に記載の方法。
【請求項２３】
一次吸着剤ボリューム及び二次吸着剤ボリュームは、多孔性重合体である請求項１８に記載の方法。
【請求項２４】
二次吸着剤ボリュームは、容積希釈によって達成される吸着能力を示す請求項１８から２３のいずれか一項に記載の方法。
【請求項２５】
容積希釈は、活性化前における活性炭原料の付加、成形粒子又はモノリスへの成形前における吸着剤の付加、及びそれらの組合せから成るグループから選択される付加プロセスによって、共成分として非吸着フィラーを付加することによって達成される請求項２４に記載の方法。
【請求項２６】
容積希釈は、星形、中空円筒形、星印形、螺旋形、円筒形及び成形リボン形から成るグループから選択される高空隙形状に吸着剤を成形することによって達成される請求項２４に記載の方法。
【請求項２７】
容積希釈は、ハチの巣形又はモノリス形に吸着剤を成形することによって達成される請求項２４に記載の方法。
【請求項２８】
容積希釈は、不活性スペーサ粒子、閉じ込められた空気空間、発泡体、繊維及びスクリーンを吸着剤の外部に使用することによって達成される請求項２４に記載の方法。
【請求項２９】
非吸着フィラーは、処理後において固体である請求項２５から２８のいずれか一項に記載の方法。
【請求項３０】
非吸着フィラーは、揮発又は燃焼して、成形粒子又はモノリス内に５０Åの幅より大きい空隙を形成する請求項２５から２８のいずれか一項に記載の方法。
【請求項３１】
車両用の蒸発エミッション制御システムであって、
揮発燃料を貯留する燃料タンクと、吸気システムを有し、燃料を消費するようになっているエンジンと、タンクからの燃料蒸気を一時的に吸着して保持するための燃料蒸気吸着剤の一次ボリュームを含むキャニスターと、燃料蒸気をタンクからキャニスター蒸気入口へ導く導管と、キャニスターパージ出口からエンジンの吸気システムへの燃料蒸気パージ導管と、エンジン吸気システムの作動中にキャニスターを排気するとともにキャニスターへ空気を導入する排気／空気開口部との組合せを有し、
キャニスターは、キャニスターの第１の領域内における蒸気吸着剤の一次ボリュームを通して、キャニスター蒸気入口から排気／空気開口部へ向かう燃料蒸気流路と、排気／空気開口部におけるキャニスターの第２の領域及びパージ出口における第１の領域内における吸着剤の二次ボリュームを通る空気流路とによって限定され、その結果、タンク内に生成される燃料蒸気が、蒸気入口を通って、吸着剤の一次ボリュームの中へと流入し、そこで吸着され、また、エンジン吸気システムの作動中において、周囲空気が通路に流入し、排気／空気開口部を通り、キャニスター内の空気流路に沿って、さらに、一次ボリューム及びパージ出口を通って、エンジン吸気システムへ流出し、その空気の流れは、吸着された燃料蒸気の一部分を除去するが、一次ボリューム内に燃料の残留物を残し、
また、改良点として、蒸気吸着剤の少なくとも一つの二次ボリュームは、第１のボリュームの１％から１００％のボリュームを有するとともに、第２の領域内におけるキャニスターの内側又はキャニスターの外側に配置され、さらに、蒸気吸着剤の一次ボリュームは、空気の流れを蒸気吸着剤の少なくとも一つの二次ボリュームに通す前に、５容量％と５０容量％との間のｎ−ブタン蒸気濃度で、２５°Ｃにおける３５ｇｎ−ブタン／Ｌ‐ベッドを超える増分吸着能力によって特徴づけられ、蒸気吸着剤の二次ボリュームは、５容量％と５０容量％との間のｎ−ブタン蒸気濃度で、２５°Ｃにおける３５ｇｎ−ブタン未満の増分吸着能力によって特徴づけられるシステム。
【請求項３２】
蒸気吸着剤の二次ボリュームは、別の後続キャニスターにおけるキャニスターの外側に配置される請求項３１に記載のシステム。
【請求項３３】
蒸気吸着剤の一次ボリューム及び蒸気吸着剤の二次ボリュームは、化学的活性化方法、熱的活性化方法、及び組合せられた化学的／熱的活性化方法から成るグループから選択されるプロセスによって活性化された木材、泥炭、石炭、ココナツ、褐炭、石油ピッチ、石油コークス、コールタールピッチ、果実種、堅果殻、おがくず、木粉、合成重合体及び天然重合体から成るグループから選択される物質に由来する活性炭である請求項３１又は３２に記載のシステム。
【請求項３４】
蒸気吸着剤の一次ボリューム及び蒸気吸着剤の二次ボリュームは、ゼオライト、多孔性シリカ、多孔性アルミナ、柱状クレー及び分子篩から成るグループから選択される無機物質である請求項３１又は３２に記載のシステム。
【請求項３５】
蒸気吸着剤の一次ボリューム及び蒸気吸着剤の二次ボリュームは、多孔性重合体である請求項３１又は３２に記載のシステム。
【請求項３６】
蒸気吸着剤の二次ボリュームは、容積希釈によって達成される吸着能力を示す請求項３１から３５のいずれか一項に記載のシステム。
【請求項３７】
容積希釈は、活性化前の活性炭原料の付加、成形粒子又はモノリスへの成形前における吸着剤の付加、及びそれらの組合せから成るグループから選択される付加プロセスによって、共成分として非吸着フィラーを付加することによって達成される請求項３６に記載のシステム。
【請求項３８】
容積希釈は、星形、中空円筒形、星印形、螺旋形、円筒形及び成形リボン形から成るグループから選択される高空隙形状に吸着剤を成形することによって達成される請求項３６に記載のシステム。
【請求項３９】
容積希釈は、ハチの巣形又はモノリス形に吸着剤を成形することによって達成される請求項３６に記載のシステム。
【請求項４０】
容積希釈は、不活性スペーサ粒子、閉込められた空気空間、発泡体及びスクリーンを吸着剤の外部に使用することによって達成される請求項３６に記載のシステム。
【請求項４１】
非吸着フィラーは、処理後において固体である請求項３７に記載のシステム。
【請求項４２】
非吸着フィラーは、揮発又は燃焼して、成形粒子又はモノリス内に５０Åの幅より大きい空隙を形成する請求項３７に記載のシステム。
【請求項４３】
エミッションを制御するための自動車のシステムへの使用に有用なキャニスターであって、
キャニスターは、その第１の領域内における蒸気吸着剤の一次ボリュームを通して、キャニスター排気／空気開口部へ向う燃料蒸気流路を形成するキャニスター蒸気入口によって限定され、キャニスター排気／空気開口部は、排気／空気開口部におけるキャニスターの第２の領域及びパージ出口における第１の領域内における吸着剤の二次ボリュームを通る連続空気流路を形成し、その結果、揮発性燃料を貯留するためのタンク内に生成される燃料蒸気が、蒸気入口を通って、吸着剤の一次ボリュームの中へと流入し、そこで吸着され、また、エンジン吸気システムの作動中において、周囲空気が通路に流入させられ、排気／空気開口部を通り、キャニスター内の空気流路に沿って、さらに、一次ボリューム及びパージ出口を通って、エンジン吸気システムへ流出し、その空気の流れは、吸着された燃料蒸気の一部分を除去するが、一次ボリューム内に燃料の残留物を残し、また、蒸気吸着剤の少なくとも一つの二次ボリュームは、第１のボリュームの１％から１００％のボリュームを有するとともに、キャニスターの第２の領域内におけるキャニスターの内側又はキャニスターの外側に配置され、さらに、蒸気吸着剤の一次ボリュームは、空気の流れを蒸気吸着剤の少なくとも一つの二次ボリュームに通す前に、５容量％と５０容量％との間のｎ−ブタン蒸気濃度で、２５°Ｃにおける３５ｇｎ−ブタン／Ｌ‐ベッドを超える増分吸着能力によって特徴づけられ、蒸気吸着剤の二次ボリュームは、５容量％と５０容量％との間のｎ−ブタン蒸気濃度で、２５°Ｃにおける３５ｇｎ−ブタン未満の増分吸着能力によって特徴づけられるキャニスター。
【請求項４４】
蒸気吸着剤の二次ボリュームは、別の後続キャニスターにおけるキャニスターの外側に配置される請求項４３に記載のキャニスター。
【請求項４５】
蒸気吸着剤の一次ボリューム及び蒸気吸着剤の二次ボリュームは、化学的活性化方法、熱的活性化方法、及び組合せられた化学的／熱的活性化方法から成るグループから選択されるプロセスによって活性化された木材、泥炭、石炭、ココナツ、褐炭、石油ピッチ、石油コークス、コールタールピッチ、果実種、堅果殻、おがくず、木粉、合成重合体及び天然重合体から成るグループから選択される物質に由来する活性炭である請求項４３又は４４に記載のキャニスター。
【請求項４６】
蒸気吸着剤の一次ボリューム及び蒸気吸着剤の二次ボリュームは、ゼオライト、多孔性シリカ、多孔性アルミナ、柱状クレー及び分子篩から成るグループから選択される無機物質である請求項４３又は４４に記載のキャニスター。
【請求項４７】
蒸気吸着剤の一次ボリューム及び蒸気吸着剤の二次ボリュームは、多孔性重合体である請求項４３又は４４に記載のキャニスター。
【請求項４８】
蒸気吸着剤の二次ボリュームは、容積希釈によって達成される吸着能力を示す請求項４３又は４４に記載のキャニスター。
【請求項４９】
容積希釈は、活性化前の活性炭原料の付加、成形粒子又はモノリスへの成形前における吸着剤の付加、及びそれらの組合せから成るグループから選択される付加プロセスによって、共成分として非吸着フィラーを付加することによって達成される請求項４８に記載のキャニスター。
【請求項５０】
容積希釈は、星形、中空円筒形、星印形、螺旋形、円筒形及び成形リボン形から成るグループから選択される高空隙形状に吸着剤を成形することによって達成される請求項４８に記載のキャニスター。
【請求項５１】
容積希釈は、ハチの巣形又はモノリス形に成形された吸着剤によって達成される請求項４９に記載のキャニスター。
【請求項５２】
容積希釈は、不活性スペーサ粒子、閉込められた空気空間、発泡体及びスクリーンを吸着剤の外部に含めることによって達成される請求項４８に記載のキャニスター。
【請求項５３】
非吸着フィラーは、処理後において固体である請求項４９から５２のいずれか一項に記載のキャニスター。
【請求項５４】
非吸着フィラーは、揮発又は燃焼して、成形された粒子又はモノリス内に５０Åの幅より大きい空隙を形成する請求項４９から５２のいずれか一項に記載のキャニスター。